(57)【特許請求の範囲】
【請求項１】
導体からなる複数の細線が束ねられた束線を略菱形状に一周回巻回して一ターンを形成し、前記ターンを前記菱形状の一の対角線方向に順次ずらせて連続して複数ターン巻回し配置することにより、一連の前記束線からなる略菱形状のコイルセグメントを形成し、これらコイルセグメントを複数用いて、前記一の対角線方向に隣り合うように順次ずらせて帯状体を形成するとともに、該帯状体を円筒状に巻いて形成された中空円筒体とされるスロットレス固定子を有する回転電機に用いるスロットレス固定子巻線において、前記束線は加圧プレスで断面矩形状に形成されたものであり、前記各ターンは、前記一の対角線方向に直交する他の対角線方向に位置する両端部において、該ターンの外側に向けて突出するように進行し、かつ略Ｕ字状に反転して内側に向けて復帰するように進行する１８０°に折り曲げられたヘアピン状の折返し部を有し、略菱形状のコイルセグメントの外周側の二辺は、他のコイルセグメントの外周側の二辺に対して円周方向に隣接させ折返し部を密接させて配置され、かつ他のコイルセグメントの内周側の二辺に対して径方向に隣接して配置され、前記折返し部は前記中空円筒体の両端部を構成することを特徴とするスロットレス固定子を有する回転電機に用いるスロットレス固定子巻線。
【請求項２】
前記束線は、前記一の対角線方向に直交する他の対角線方向に位置する前記各ターンの両端部のうちの一の端部において前記中空円筒体の内周側から外周側に、かつ前記各ターンの前記両端部のうちの他の端部において外周側から内周側に巻回されていることを特徴とする請求項１記載のスロットレス固定子巻線。
【請求項３】
前記各ターンは、隣り合うターンと接触した状態で配置されていることを特徴とする請求項１または請求項２に記載のスロットレス固定子巻線。
【請求項４】
略菱形状とされた前記コイルセグメントの四辺のうち、前記他の対角線に対して片側に位置する二辺が前記中空円筒体の内周側に配置され、かつ前記片側に位置する二辺に対向する他の二辺が前記中空円筒体の外周側に配置されていることを特徴とする請求項１から請求項３のいずれかに記載のスロットレス固定子巻線。
【請求項５】
前記内周側に配置されたコイルセグメントの二辺が、隣り合うコイルセグメントの前記内周側に配置された二辺に対して周方向において隣接し、かつ、該隣り合うコイルセグメントの前記外周側に配置された二辺に対して径方向に重ねられるように、前記各コイルセグメントが重なりつつ順次ずらされて配置されていることを特徴とする請求項４記載のスロットレス固定子巻線。
【請求項６】
前記折返し部は、前記中空円筒体の内周側から外周側に向けて、或いは外周側から内周側に向けて折り返されていることを特徴とする請求項１から請求項５のいずれかに記載のスロットレス固定子巻線。
【請求項７】
前記束線は、略菱形状とされた前記各ターンの一辺の範囲内で少なくとも一回は螺旋状にひねられていることを特徴とする請求項１から請求項６のいずれかに記載のスロットレス固定子巻線。
【請求項８】
前記各細線は、線状部を有する歪んだ円形状の断面を有し、前記線状部において隣り合う細線と接触していることを特徴とする請求項１から請求項７のいずれかに記載のスロットレス固定子巻線。
【請求項９】
導体からなる複数の細線が束ねられた束線を加圧プレスで断面矩形状に形し、この束線を略菱形状に一周回巻回して一ターンを形成するターン形成工程と、前記ターンを前記菱形状の一の対角線方向に順次ずらせて連続して複数ターン巻回し配置することにより、一連の前記束線からなるコイルセグメントを形成するコイルセグメント形成工程と、前記コイルセグメントを複数用いて、これらコイルセグメントを前記一の対角線方向に順次ずらせ、略菱形状のコイルセグメントの外周側の二辺は、他のコイルセグメントの外周側の二辺に対して円周方向に隣接して配置され、かつ他のコイルセグメントの内周側の二辺に対して径方向に隣り合うように重ね合わせて帯状体を形成するとともに、該帯状体を中空円筒状に巻く中空円筒体形成工程と、を備えたスロットレス固定子を有する回転電機に用いるスロットレス固定子巻線の製造方法であって、前記ターン形成工程は、前記束線が、前記一の対角線方向に直交する他の対角線方向に位置する前記各ターンの両端部のうちの一の端部において前記中空円筒体の内周側から外周側に、かつ前記各ターンの前記両端部のうちの他の端部において外周側から内周側に巻回される工程と、前記一の対角線方向に直交する他の対角線方向に位置する前記各ターンの両端部において、該ターンの外側に向けて突出するように進行し、かつ略Ｕ字状に反転して内側に向けて復帰するように進行して１８０°に折り曲げられたヘアピン状の折返し部を形成する折返し部形成工程を備え、前記中空円筒体形成工程において、略菱形状のコイルセグメントの外周側の二辺を、他のコイルセグメントの外周側の二辺に対して円周方向に隣接して配置させる際に前記折返し部を密接させて中空円筒体の両端部を形成することを特徴とするスロットレス固定子巻線の製造方法。
【請求項１０】
前記ターン形成工程は、隣り合う細線と密着するように前記束線が加圧プレスされる加圧プレス工程を備えていることを特徴とする請求項９記載のスロットレス固定子巻線の製造方法。
【請求項１１】
前記加圧プレス工程に先だって、略菱形状とされる前記各ターンの一辺の範囲内で前記束線が少なくなくとも一回は螺旋状にひねられる工程を備えていることを特徴とする請求項１０に記載のスロットレス固定子巻線の製造方法。
【請求項１２】
前記加圧プレス工程は、前記束線が矩形状の断面を有するように該束線を成形する工程を備えていることを特徴とする請求項１０または請求項１１記載のスロットレス固定子巻線の製造方法。
【発明の詳細な説明】
【０００１】
【発明の属する技術分野】
本発明は、電動機または発電機とされる回転電機に用いて好適な、より詳細には、高速回転する回転電機のスロットレス固定子に用いて好適なスロットレス固定子巻線およびその製造方法に関する。
【０００２】
【従来の技術】
従来、回転電機において、回転子側からみた主磁束磁路の磁気抵抗が均一となるという観点から、スロット（溝部）が形成されていないスロットレス固定子が提案されており、回転子に対向させて、スロットレス固定子の内周側に円筒状の巻線が固定された、ラジアルギャップ形スロットレス構成が多用されている。
【０００３】
このようなラジアルギャップ形スロットレス構成は、米国特許第５，３１３，１３１号明細書により開示されている。
図１３は、スロットレス固定子の端部を示した斜視図であり、固定子鉄心１０１の内周面には、複数のコイルセグメント１０３が固定されている。このコイルセグメント１０３は、図１４に示されているように、角部が丸みを帯びた略四角形状とされている。このコイルセグメント１０３を用いると、図１３からわかるように、固定子鉄心１０１の端部から四角形の一辺１０５が露出してしまう構成となる。
コイルセグメントの一辺が露出すると、その分だけ巻線の量が無駄に使われることになる。これは、巻線の抵抗値を増大させることになり、発熱が生じることになる。例えば数万ｒｐｍにも及ぶ高速回転電動機に用いた場合には、このような発熱は無視できないものとなる。
さらに、コイルのターン数を増加させると、それだけ固定子から露出する量が増える。また、極数が少ないほど、固定子端部から露出する渡り長さは長くなる。しかも、高出力に対応させるために、高電流化に見合う導体を配する必要も生じる。このような場合には、軸線方向あるいは径方向にコイルの大きさが増大され、回転電機自体が大型化されてしまう。すなわち、高出力を実現するために導体量を増加させると、回転電機が大型化してしまうという問題がある。
特に、軸線方向に固定子コイルが大型化された場合には、それに応じて回転子も軸線方向に大型化されることになり、これは回転子の遠心強度および軸振動に大きな影響を及ぼすことになる。したがって、特に軸線方向に固定子コイルを小型化することは強く要望されているところである。
【０００４】
上述のような略四角形状とされたコイルセグメント以外の形状として、特公昭第５３−４４３６２号公報にあるように、菱形状のターンを有するコイルが提案されている。
図１５には、菱形状のターンを順次並べて形成されたバンド状コイル１１１が示されている。図１６には、図１５のバンド状コイル１１１を巻回して形成した円筒形コイル１１３が示されている。このような円筒形コイル１１３であれば、円筒体の両端部に菱形状の頂点が位置することになるので、固定子から露出する巻線量を極力抑えることができる。
しかし、図１５の方式では、単線による菱形状のターンから成るバンド状コイルを形成しており、高出力を得るためには必然的に多層円筒状のコイルにならざるを得ない。この場合に並列接続したとしても、位相合わせが困難であり、多重に積層するとコイルの厚みが大きくなるという問題もある。
【０００５】
【発明が解決しようとする課題】
そこで、本発明は、上記問題点に鑑みてなされたものであり、高出力を実現するとともに小型化にも対応したスロットレス固定子巻線を提供し、さらに、簡便でかつ成形性に優れたスロットレス固定子巻線の製造方法を提供することを目的とする。
【０００６】
【課題を解決するための手段】
上記課題は、以下の手段により達成される。本発明のスロットレス固定子巻線によれば、導体からなる複数の細線が束ねられた束線を加圧プレスで断面矩形状に形成し、この束線を略菱形状に一周回巻回して一ターンを形成し、前記ターンを前記菱形状の一の対角線方向に順次ずらせて連続して複数ターン巻回し配置することにより、一連の前記束線からなる略菱形状のコイルセグメントを形成し、前記コイルセグメントを複数用いて、略菱形状のコイルセグメントの外周側の二辺は、他のコイルセグメントの外周側の二辺に対して円周方向に隣接して配置され、かつ他のコイルセグメントの内周側の二辺に対して径方向に隣接して配置され、これらコイルセグメントを前記一の対角線方向に隣り合わせて順次ずらせかつ重ね合わせて帯状体を形成するとともに、該帯状体を円筒状に巻いて形成された中空円筒体とされることを特徴とする。ここで、前記各ターンは、前記一の対角線方向に直交する他の対角線方向に位置する両端部において、該ターンの外側に向けて突出するように進行し、かつ略Ｕ字状に反転して内側に向けて復帰するように進行する１８０°に折り曲げられたヘアピン状の折返し部を有している。複数の細線から成る束線によりコイルが形成されることになるので、単線により形成されたコイルに比べて、より高速回転に対応させることができる。また、束線とし、加圧プレスを行うことでコイルの厚みの増大を回避することができ、ひねり撚りを行うことで循環電流損失が低減されることになる。
また、束線を加圧プレスで断面矩形状に形成することで、矩形状断面を有する束線を隣接して並べると、これら束線は密接状態で配置されることになり、コイルセグメントの導体占積率が増大させられる。
【０００７】
前記束線は、前記一の対角線方向に直交する他の対角線方向に位置する前記各ターンの両端部のうちの一の端部において前記中空円筒体の内周側から外周側に、かつ前記各ターンの前記両端部のうちの他の端部において外周側から内周側に巻回されていることを特徴とする。
【０００９】
中空円筒体の端部に折返し部が位置することになり、この折返し部は、菱形状の他の対角線方向、即ち中空円筒体の長手（軸線）方向を向くことになる。これにより、折返し部を中空円筒体の円周方向に詰めて配置することができ、密に複数のターンを巻回することができる。したがって、ターン数を増加させても、折返し部が積層されて、これら折返し部が径方向あるいは軸線方向に延在して露出されることはない。
本発明による巻線がスロットレス固定子の鉄心に固定されると、各ターンの折返し部のみが固定子の端部から露出することになる。つまり、鉄心から露出する部分が折返し部のみと少ないため、巻線量が大幅に減少されることになる。
【００１０】
好ましくは、各ターンは、隣り合うターンと接触した状態で配置されている。
これにより、高密度で巻かれた巻線が形成されることになる。
【００１１】
さらに好ましくは、略菱形状とされたコイルセグメントの四辺のうち、前記他の対角線に対して片側に位置する二辺が前記中空円筒体の内周側に配置され、
かつ前記片側に位置する二辺に対向する他の二辺が前記中空円筒体の外周側に配置されている。
【００１２】
コイルセグメントのうちの二辺が中空円筒体の内周側に配置され、他の二辺が外周側に配置されるので、内周側および外周側共に、密に束線が巻回されることになる。
【００１３】
さらに好ましくは、中空円筒体の内周側に配置されたコイルセグメントの二辺が、隣り合うコイルセグメントの内周側に配置された二辺に対して周方向において隣接し、かつ、該隣り合うコイルセグメントの外周側に配置された二辺に対して径方向に重ねられるように、各コイルセグメントが重なりつつ順次ずらされて配置されている。
【００１４】
各コイルセグメントの内周側に配置された二辺が、円周方向において均一に配置されることになる。また、各コイルセグメントの外周側に配置された二辺が、隣のコイルセグメントの内周側に配置された二辺に対して、中空円筒体の径方向に重ね合わされることにより、各コイルセグメントが交互に重ねられて配置されることになる。これにより、複数のコイルセグメントが周方向および径方向に密に重ね合わされることになる。
【００１５】
さらに好ましくは、各ターンの両端に位置する折返し部は、その片端側が中空円筒体の内周側から外周側に向けて、また或る他端側は外周側から内周側に向けて折り返されている。
【００１６】
折返し部が内周側（外周側）から外周側（内周側）に折り返されているので、折返し部を周方向に密接させて配置することができ、これにより、各ターン同士を周方向に順次密着させて配置させることができる。つまり、ターン数を増加させても、巻線が軸線方向または径方向に大型化することはない。
【００１７】
さらに好ましくは、束線は、略菱形状とされた各ターンの一辺の範囲内で少なくなくとも一回は螺旋状にひねられている。
螺旋状にひねることにより、高周波トランス等に用いられるリッツ線と同様の構成となり、ターンを形成する束線間の各素線に生じる起電圧差を減少させ、循環電流等の不要な損失の発生を抑えることが可能となる。
【００１９】
さらに好ましくは、各細線は、線状部を有する歪んだ円形状の断面を有し、線状部において隣り合う細線と接触している。
これにより、さらに導体占積率が増大させられることになる。
【００２０】
本発明のスロットレス固定子巻線の製造方法によれば、導体からなる複数の細線が束ねられた束線を加圧プレスで断面矩形状に形成し、この束線を略菱形状に一周回巻回して一ターンを形成するターン形成工程と、前記ターンを前記菱形状の一の対角線方向に順次ずらせて連続して複数ターン巻回し配置することにより、一連の前記束線からなるコイルセグメントを形成するコイルセグメント形成工程と、前記コイルセグメントを複数用いて、これらコイルセグメントを前記一の対角線方向に隣り合うように順次ずらせ、略菱形状のコイルセグメントの外周側の二辺は、他のコイルセグメントの外周側の二辺に対して円周方向に隣接して配置され、かつ他のコイルセグメントの内周側の二辺に対して径方向に隣り合うように重ね合わせて帯状体を形成するとともに、該帯状体を中空円筒状に巻く中空円筒体形成工程と、を備えたスロットレス固定子を有する回転電機に用いるスロットレス固定子巻線の製造方法であって、前記ターン形成工程は、前記束線が、前記一の対角線方向に直交する他の対角線方向に位置する前記各ターンの両端部のうちの一の端部において前記中空円筒体の内周側から外周側に、かつ前記各ターンの前記両端部のうちの他の端部において外周側から内周側に巻回される工程と、前記一の対角線方向に直交する他の対角線方向に位置する前記各ターンの両端部において、該ターンの外側に向けて突出するように進行し、かつ略Ｕ字状に反転して内側に向けて復帰するように進行して１８０°に折り曲げられたヘアピン状の折返し部を形成する折返し部形成工程を備え、前記中空円筒体形成工程において、略菱形状のコイルセグメントの外周側の二辺を、他のコイルセグメントの外周側の二辺に対して円周方向に隣接して配置させる際に前記折返し部を密接させて中空円筒体の両端部を形成することを特徴とする。
【００２１】
前記ターン形成工程は、前記一の対角線方向に直交する他の対角線方向に位置する前記各ターンの両端部において、該ターンの外側に突出するように進行し、かつ略Ｕ字状に反転して内側に復帰するように進行して折返し部を形成する折返し部形成工程を備えていることを特徴とする。
【００２２】
好ましくは、ターン形成工程は、隣り合う細線と密着するように前記束線が加圧プレスされる加圧プレス工程を備えている。
加圧プレスを施すことにより、束線を構成する各細線が密着状態に変形される。また、このように各細線が密着状態で保持されることにより、束線の断面形状が安定的に維持されることになる。
【００２３】
さらに好ましくは、前記加圧プレス工程に先だって、略菱形状とされた前記各ターンの一辺の範囲内で前記束線が少なくなくとも一回は螺旋状にひねられる工程を備えている。
ひねりを加えた後に加圧プレスを施すことにより、ねじれた状態で各細線が変形されるので、より強固な密着状態が得られることになる。
【００２４】
さらに好ましくは、加圧プレス工程は、束線が略矩形状の断面を有するように該束線を成形する工程を備えている。
【００２５】
【発明の実施の形態】
以下に、添付図面を参照して、本発明の一実施形態を説明する。
図１は、本発明の一実施形態であるスロットレス固定子巻線が設けられた回転電機を示した断面図である。
図２は、図１の切断線II−IIにおける断面図である。
【００２６】
スロットレス固定子１を備えた回転電機３が図１に示されており、例えば数ｋＷ〜数十ｋＷとされ、数万回転以上の回転数で使用される高速回転電気機械に用いて好適なものである。
回転電機３は、ケーシング５により外形が形成されており、該ケーシング５の中心軸線上に沿って回転子７が軸受け９を介して回転自在に配置されている。
【００２７】
回転子７は、図２に示されているように、界磁発生手段としての永久磁石１１が組み込まれている。この永久磁石１１は、回転子７の表面において径方向に磁束を発生するｐ極（ｐは２以上の偶数）の磁極を形成するように構成されている。永久磁石としては、Sm-Co，Nd-Fe-B焼結磁石等の希土類磁石が好適である。
【００２８】
回転子７の周りには、図１に示されているように、空隙１３を介して、スロットレス固定子１が配置されている。このスロットレス固定子１は、巻線を固定するための溝部（スロット）が形成されていないものである。スロットレス固定子１は、回転子７側に位置する巻線（スロットレス固定子巻線）１５と、ケーシング５側に位置する固定子鉄心１７とから構成されている。
【００２９】
固定子鉄心１７は、中空円筒形状とされており、ケーシング５の内周面に該鉄心１７の外周面が接触するように固定されている。この固定子鉄心１７は、リング状の電磁鋼板を板厚方向に多数枚積層することにより構成されている。固定子鉄心１７は、溝部（スロット）が形成されていない円筒面とされた内周面を有している。なお、固定子鉄心１７は分割構成でも可能である。例えば、図１１に示されているように二分割型とすることもできる。もちろん、三分割以上でも構わない。
【００３０】
巻線１５は、固定子鉄心１７と同様に中空円筒形状とされており、該固定子鉄心１７の内周面に該巻線１５の外周面が対向するように絶縁層１９を介して固定されている。巻線１５は、端部においてバスバー２１により結線接続されている。
【００３１】
以下に、巻線１５について詳細に説明する。
図３は、中空円筒形状とされた固定子巻線１を平面状に展開した状態を示したものである。このように平面状に展開され、帯状とされた巻線１５は、複数のコイルセグメント２３，・・により構成されている。コイルセグメント２３は、本実施形態において、３相２極に対応していることから、３×２＝６個とされている。つまり、回転電機がｍ相ｐ極とされている場合は、ｍ×ｐ個のコイルセグメントが用いられる。
【００３２】
コイルセグメント２３は、導体からなる複数のマグネットワイヤ（細線）２５，・・が束ねられた束線２７により形成されている（図６参照）。マグネットワイヤ２５は表面に絶縁被覆層が形成されており、素線外径は１ｍｍ以下が望ましい。図４に示されているように、コイルセグメント２３は、束線２７を略菱形状に一周回巻回して形成された一ターン２９を複数配置することにより構成されている。つまり、各ターン２９，・・は、図において左右方向に延在する菱形状の対角線（一の対角線）Ａ１方向に連続して順次ずらせて巻回して配置されている。各ターン２９は、隣り合うターン２９と接触しかつ密接した状態で配置されている。
なお、マグネットワイヤ２５に代えて、高周波における表皮効果を減少させるためにリッツ線を用いてもよい。
【００３３】
ターン２９は、形状において次のような特徴を有している。図４からわかるように、ターン２９は、一の対角線Ａ１方向に直交する図において上下方向に延在する対角線（他の対角線）Ａ２方向に位置する両端部３５，３５において、折返し部３７を有している。この折返し部３７は、ターン２９の外側に向けて他の対角線Ａ２上を突出するように進行し、かつ略Ｕ字状に反転して該ターン２９の内側に向けて他の対角線Ａ２上を復帰するように進行して形成されている。つまり、本実施形態において折返し部３７は、略１８０°に折り曲げられたヘアピン状とされている。
【００３４】
さらにこの折返し部３７は、コイルセグメント２３の斜視図である図５からわかるように、図において下（上）側から上（下）側に折り返されている。つまり、後述のようにコイルセグメント２３を中空円筒体となるように巻いたときに、該中空円筒体の内（外）周側から外（内）周側に向けて折り返されている。さらに、束線２７は、一の対角線Ａ１方向に直交する他の対角線Ａ２方向に位置する各ターン２９の両端部のうちの一の端部において中空円筒体の内周側から外周側に、かつ各ターン２９の両端部のうちの他の端部において外周側から内周側に巻回されている。
このように折返し部３７を構成することにより、一の組の二辺３９，３９が他の組の二辺４１，４１に対して下側となるように配置されることになる。つまり、コイルセグメント２３を中空円筒体となるように巻いたときに、略菱形状とされたコイルセグメント２３の四辺のうち、他の対角線Ａ２に対して片側に位置する二辺３９，３９が中空円筒体の外周側に配置され、かつ、この片側に位置する二辺３９，３９に対向する他の二辺４１，４１が中空円筒体の内周側に配置されることになる。
【００３５】
コイルセグメント２３は、複数のターン２９が連続的に巻回されることにより、一連の束線２７で形成されている（図４及び図６参照）。したがって、各コイルセグメント２３ごとに一対の電気接続用の端子３１，３１が設けられることになる。
なお、図４では、ターン２９が１２．５ターン巻回されたコイルセグメントが示されているが、巻回する回数はこれに限られず、用途に応じて適宜変化させられる。
【００３６】
上述したように、束線２７は複数のマグネットワイヤ２５，・・が束ねられた構成とされているが、図６からわかるように、この束線２７は矩形状の断面を有している。さらに、束線２７は螺旋状にひねられている。このひねりは、菱形状とされたターン２９の一辺の範囲内で少なくとも一回は、即ち３６０°以上に加えられていることが好ましい。
【００３７】
束線２７を構成する各マグネットワイヤ２５は、図７に示されているように、歪んだ円形の断面形状とされている。より詳しくは、線状部３３を有しかつ角部が丸みを帯びた略四角形状とされている。各マグネットワイヤ２５はこのような断面形状とされているので、それぞれの線状部３３において、隣り合うマグネットワイヤ２５と密着状態で接触されている。
【００３８】
以上のように構成されたコイルセグメント２３を複数用いることにより、図３に示したように、帯状体が形成されることになる。そしてこの帯状体は、図９に示されているように、円筒状に巻かれて中空円筒体４３とされる。
【００３９】
各コイルセグメント２３は次のように重ね合わされる。つまり、各コイルセグメント２３は、図８に示されているように、一の対角線Ａ１方向に重ねつつ順次ずられて配置されている。より詳細には、図において下側（左側）に配置されたコイルセグメント２３ａの二辺３９ａ，３９ａが、隣り合うコイルセグメント２３ｂの図において下側（左側）に配置された二辺３９ｂ，３９ｂに対して、一の対角線Ａ１方向において隣接し、かつ、隣り合うコイルセグメント２３ｃの図において上側に配置された二辺４１ｃ，４１ｃに対して上下方向に重ねられるように配置されている。このように配置することにより、コイルセグメント２３を中空円筒状に形成したとき、外周側に配置されたコイルセグメント２３の二辺３９，３９が、隣り合うコイルセグメント２３の外周側に配置された二辺３９，３９に対して、円周方向において隣接し、かつ、隣り合うコイルセグメント２３の内周側に配置された二辺４１，４１に対して径方向に重ねられるように配置されることになる。
【００４０】
以上のように構成された複数のコイルセグメント２３からなる円筒中空体４３（図９参照）とされる巻線１５は、図１０に示されているように、固定子鉄心１７内に挿入されて固定される。
【００４１】
以下に、巻線１５の製造方法について説明する。
先ず、複数のマグネットワイヤ２５を束ねて束線２７を形成し（図６参照）、該束線２７を略菱形状に巻回してターンを複数形成する（図４参照）。
【００４２】
この際に、既述した折返し部３７が形成されるように束線２７は巻回される。
【００４３】
好ましくは、ターン２９を形成する際に、隣り合うマグネットワイヤ２５同士が密着するように束線２７が加圧プレスされることが望ましい。さらには、図７に示すように、加圧プレスにより、束線２７が矩形状の断面を有するように成形されることが望ましい。
【００４４】
さらに好ましくは、加圧プレスを施す前に、略菱形状とされたターン２９の一辺の範囲内で束線２７が少なくとも一回は巻回されることが望ましい。
【００４５】
次に、各ターン２９を一の対角線Ａ１方向に順次ずらせて複数配置することにより、一連の束線２７からなるコイルセグメント２３を形成する（図４参照）。
【００４６】
そして、複数のコイルセグメント２３を複数用いて、これらコイルセグメント２３を一の対角線Ａ１方向に順次ずらせかつ重ね合わせて帯状体を形成するとともに（図８参照）、該帯状体を中空円筒状に巻いて中空円筒体４３を形成する（図９参照）。
以上のように、巻線１５が形成されることになる。
【００４７】
本実施形態による巻線１５によれば、以下のような特有の効果を奏することができる。
巻線１５に折返し部３７を設け、該折返し部３７は、中空円筒体４３の長手方向に向けてＵ字状に折り曲げられるヘアピン状とされるとともに中空円筒体４３の端部とされるので、固定子鉄心から露出する巻線が円周方向に延在する従来の巻線に比べて、使用するマグネットワイヤ２５の量を大幅に削減することができる。このようにマグネットワイヤ２５の全長が短くなるので、巻線１５の直流抵抗が減少させられ、ジュール熱による巻線１５の発熱を抑えることができる。
【００４８】
折返し部３７を、中空円筒体４３の内（外）周側から外（内）周側に折り曲げるようにしたので、より密接に各ターン２９を配置できる。すなわち、折返し部３７は中空円筒体４３の径方向に折り曲げられるので、これら折返し部３７を周方向に密接させて配置することができる。これにより、各ターン２９も周方向に密接配置でき、ターン数が増えても径方向あるいは軸線方向に束線２７が重ね合わされることがない。中空円筒体４３の軸線方向に束線２７が重ね合わされることがないので、たとえターン数が増加したとしても、巻線１５の全長ひいては回転電機の全長が増大されることはない。したがって、導体量を増加させることによる高出力化と同時に、回転電機の小型化を実現することができる。
さらに、内周側から外周側への折り曲げにより、一の組の二辺３９，３９を外周側に、他の組の二辺４１，４１を内周側に配置することができる。したがって、中空円筒体の内周側および外周側ともに均一かつ密に束線２７を配置することができる。
【００４９】
一のコイルセグメント２３の外周側の二辺３９，３９は、他のコイルセグメント２３の外周側の二辺３９，３９に対して円周方向に隣接して配置され、かつ、他のコイルセグメント２３の内周側の二辺４１，４１に対して径方向に隣接して配置される構成としたので、周方向および径方向に均一かつ密接に束線を配置することができる。したがって、十分に高い電流密度を確保することができ、高出力化を達成することができる。
【００５０】
束線２７の断面形状を加圧プレスにより略矩形状としたので、複数の束線２７を並べて配置したときに、単に円形断面の素線を束ねた束線を用いる場合よりも空隙部を有さないように配置することができる。つまり、コイルセグメント２３の一辺当たりの導体占積率を増加させることができる。
【００５１】
マグネットワイヤ２５の断面形状を線状部３３において隣のマグネットワイヤ２５と密接するような歪んだ円形状としたので、円形断面を有するマグネットワイヤを単に束ねた構成よりも、より高密度に導体を束線２７内に配置することができ、より高い電流密度を得ることができる。
【００５２】
束線２７を螺旋状にひねった構成としたので、リッツ線における導体の転位と同様の効果が得られ、特に回転電機３の回転子７が高速回転するときに生じる、巻線１５の渦電流損や循環電流損を大幅に低減することができる。
【００５３】
さらに、螺旋状にひねった構成を採用することにより、束線２７がほつれたりバラバラになったりすることを回避することができる。
【００５４】
特に、束線２７をひねった後にワイヤに熱を加えながら加圧プレスを施す製造方法とした場合には、マグネットワイヤ２５をひねった状態で変形させることになり、単に加圧プレスするよりも各マグネットワイヤ２５の密着性が高まるので、確実に束線２７を成形することができる。したがって、後にターン２９を形成する際にほつれたりすることがなく、矩形とされた束線２７の断面形状を安定的に維持することができる。さらに、従来のように巻線の巻回・成形時においてマグネットワイヤ２５にワニス等の樹脂を含浸させたり、自己融着線を用いて硬化させる必要がなくなるので、樹脂により放熱性が阻害されることがなく、マグネットワイヤ２５間に樹脂が入り込むことによって生じる導体の占積率の低下を来すこともない。
【００５５】
なお、上述した実施形態において、折返し部３７は、ターン２９の外側に向けて他の対角線Ａ２上を進行し、かつ略Ｕ字状に反転して該ターン２９の内側に向けて他の対角線Ａ２上を進行する延在部５０を有する構成として説明したが（図４参照）、この延在部５０は、図１２に示されているように、略菱形状を形成するターン２９の四辺のうち、折返し部３７を含む二辺のいずれかの辺の延在方向の延長上に位置する構成としても、上述の効果を妨げることはない。さらに、この延在部５０を省略して、単に折り返した端部を有する構成としてもよい。
【００５６】
【発明の効果】
以上説明したように、本発明によれば、各ターンの両端部に折返し部を設けたので、各ターンを密に巻回することができ、これにより高電流値化が実現され、回転電機の高出力化を達成することができる。
さらに、折返し部を周方向に順次並べて配置することができるので、導体量の増加による軸線方向および径方向の大型化を回避することにより、回転電機の小型化を実現することができる。
【００５７】
束線を螺旋状にひねった構成としたので、回転電機の高速回転時に生じうる渦電流損や循環電流損を大幅に減少させることができ、高速化にも対応することができる。
【００５８】
束線を加圧プレスする製造方法を採用することにより、束線の断面形状が安定的に維持されることとなるので、巻線製造の際の自由度を大幅に増加させることができる。
【図面の簡単な説明】
【図１】  本発明の一実施形態であるスロットレス固定子巻線が設けられた回転電機を示した断面図である。
【図２】  図１の切断線II−IIにおける断面図である。
【図３】  複数のコイルセグメントにより形成された中空円筒体を平面状に展開した状態を示す平面図である。
【図４】  コイルセグメントを示した平面図である。
【図５】  コイルセグメントを示した斜視図である。
【図６】  コイルセグメントを構成する束線を示した拡大斜視図である。
【図７】  束線を構成する細線の断面形状を示した断面図である。
【図８】  コイルセグメントの配置状態を示した斜視図である。
【図９】  中空円筒体とされた本発明によるスロットレス固定子巻線を示した斜視図である。
【図１０】  固定子鉄心に対してスロットレス固定子巻線が挿入される状態を示した斜視図である。
【図１１】  分割構成とされた固定子鉄心を示した斜視図である。
【図１２】  ターンの延在部の変形例を示した平面図である。
【図１３】  従来技術によるスロットレス固定子を示した斜視図である。
【図１４】  図１３のスロットレス固定子に用いられるコイルセグメントを示した斜視図である。
【図１５】  従来技術による菱形状のターンを有するバンド状コイルを示した平面図である。
【図１６】  図１５のバンド状コイルを巻回して形成された円筒形コイルを示した斜視図である。
【符号の説明】
１  スロットレス固定子
３  回転電機
１５  巻線
２３  コイルセグメント
２５  マグネットワイヤ（細線）
２７  束線
２９  ターン
３７  折返し部
Ａ１  一の対角線
Ａ２  他の対角線
【図１】
0004421018.tif 000002
【図２】
0004421018.tif 000003
【図３】
0004421018.tif 000004
【図４】
0004421018.tif 000005
【図５】
0004421018.tif 000006
【図６】
0004421018.tif 000007
【図７】
0004421018.tif 000008
【図８】
0004421018.tif 000009
【図９】
0004421018.tif 000010
【図１０】
0004421018.tif 000011
【図１１】
0004421018.tif 000012
【図１２】
0004421018.tif 000013
【図１３】
0004421018.tif 000014
【図１４】
0004421018.tif 000015
【図１５】
0004421018.tif 000016
【図１６】
0004421018.tif 000017